(57)【要約】【課題】  プレー中に自動的に２つ以上に分離可能で、対戦の勝率及びプレーの面白さを効果的に向上させ、安定した構造及び長い寿命を有し、回転が安定した自動離脱式合体ジャイロ玩具を提供する。【解決手段】  本発明の自動離脱式合体ジャイロ玩具は、ジャイロを少なくとも２つのジャイロを上下に接続して形成し、ジャイロの先端部をすべて弾性チップとすることにより、回転中に衝撃を受けたり、回転がブロックされたりした時に、ジャイロの上方ジャイロが下方ジャイロとの接続を自動的に解除し、弾性チップの作用により上方ジャイロを放出して、独立に回転する２つのジャイロを形成することを特徴とする。本発明のプレー中、ジャイロを対戦中に２つ又は３つのジャイロに分離することができるため、ジャイロの攻撃力が非常に高まり、勝率が高まる。さらに、ジャイロの先端部は弾性チップであるため、プレー時に分離する際、上方ジャイロは概してチップの弾性によって分離し、下方ジャイロにほとんど衝撃を与えない。また、上方ジャイロは地面に落ちる時、チップを効果的に保護し回転の安定性を維持するように弾性による緩衝効果を用いてソフトランディングできる。【選択図】  図１
2016530974.tif 000002
【特許請求の範囲】
【請求項１】
自動離脱式合体ジャイロ玩具であって、ジャイロを少なくとも２つのジャイロ（１、２）を上下に接続して形成し、前記ジャイロ（１、２）の先端部をすべて弾性チップ（１１、１２）とすることにより、回転中に衝撃を受けたり、回転がブロックされたりした時に、前記ジャイロ（１、２）の上方ジャイロ（１）が下方ジャイロ（２）との接続を自動的に解除し、前記弾性チップ（１１）の作用により前記上方ジャイロを放出して、前記下方ジャイロ（２）と共に独立に回転する２つのジャイロを形成する自動離脱式合体ジャイロ玩具。
【請求項２】
前記ジャイロ（１、２）は同一の構造を有する請求項１記載の自動離脱式合体ジャイロ玩具。
【請求項３】
前記ジャイロ（１、２）は、それぞれ軸体（１２、２２）と前記軸体（１２、２２）にスリーブ接続するジャイロリング（１３、２３）とからなり、前記弾性チップ（１１、２１）を前記軸体（１２、２２）の下に接続し、前記上方及び下方ジャイロ（１、２）の接続を実現するために、前記上方ジャイロ（１）の前記弾性チップ（１１）を前記下方ジャイロ（２）の前記軸体（２２）に挿入する時に圧縮状態にする請求項１記載の自動離脱式合体ジャイロ玩具。
【請求項４】
前記弾性チップ（１１、２１）を、前記軸体（１２、２２）の下端部に接続され、内部キャビティにスプリングシートを備えたチップ本体と、前記チップ本体の前記内部キャビティの前記スプリングシートに配設したスプリング（１４、２４）とにより形成し、前記スプリング（１４、２４）の上端部が前記軸体（１２、２２）を押圧し、前記上方ジャイロ（１）を前記下方ジャイロ（２）に接続する時、前記弾性チップ（１１）の前記スプリング（１４）を、圧縮して前記上方チップ本体と共に前記軸体（１２）内に格納する請求項３記載の自動離脱式合体ジャイロ玩具。
【請求項５】
相互接続する際、前記上方ジャイロ（１）及び前記下方ジャイロ（２）を回転可能に分離できるように一体的に接続し、前記上方ジャイロ（１）と前記下方ジャイロ（２）を２つのジャイロリング（１３、２３）に配設した回転クランプ機構によって互いに接続する、或いは前記上方ジャイロ（１）と前記下方ジャイロ（２）を前記２つの軸体（１２、２２）の回転締め付けにより互いに接続する請求項３記載の自動離脱式合体ジャイロ玩具。
【請求項６】
前記各ジャイロ（１、２）の前記軸体（１２、２２）の上端部は、取り外し可能なカバー（１０、２０）を備え、前記各カバー（１０、２０）は、放出器と係合する接続機構を備え、前記カバー（１０、２０）と前記放出器の前記接続機構と連携して、プレーするために前記放出器により前記各ジャイロ（１、２）を放出することができ、前記カバー（２０）を取り外した後に、前記下方ジャイロ（２）を前記上方ジャイロ（１）に接続し、前記下方ジャイロ（２）の前記軸体（２２）に配設したカバー取り付け位置が、前記上方ジャイロ（１）の前記先端部を装着する凹状キャビティを備える請求項３記載の自動離脱式合体ジャイロ玩具。
【請求項７】
前記ジャイロリング（１３、２３）は、前記軸体（１２、２２）の外壁に嵌合配置したロック機構を備える請求項５記載の自動離脱式合体ジャイロ玩具。
【請求項８】
前記ロック機構は、概して前記ジャイロリング（１３、２３）の内壁に配設した突起部（１５、２５）であり、前記軸体（１２、２２）は、軸スリーブ（１２１、２２１）と、前記軸スリーブ（１２１、２２１）に回転可能に配設したクランプリング（１２２、２２２）とからなり、前記クランプリング（１２２、２２２）は、前記軸スリーブ（１２１、２２１）から延出するピン（１２３、２２３）を備え、前記軸スリーブ（１２１、２２１）の外壁は、これに対応して前記ピン（１２３、２２３）が進入して水平回転可能なガイドスロット（１２４、２２４）と、前記ジャイロリングの前記突起部（１５、２５）が摺動するブロック機構（１２５、２２５）と、を備え、前記ピン（１２３、２２３）の押し込みにより前記ジャイロリング（１３、２３）と前記軸スリーブ（１２１、２２１）の確実な接続を実現し、前記弾性チップ（１１、２１）を上下動可能に前記軸スリーブ（１２１、２２１）の下部に接続し、前記ジャイロリング（１３、２３）の前記突起部（１５、２５）が前記ブロック機構（１２５、２２５）内に摺動する時、前記ピン（１２３、２２３）が前記突起部（１５、２５）の上方又は下方で回転するように前記クランプリング（１２２、２２２）を回転させることができ、それ故、前記突起部（１５、２５）を前記ピン（１２３、２２３）と前記ブロック機構（１２５、２２５）の１つの端縁部の間に確実にロックすることによって、前記ジャイロリング（１３、２３）と前記軸体（１２、２２）の確実な接続を実現する請求項７記載の自動離脱式合体ジャイロ玩具。
【請求項９】
前記軸スリーブ（１２１、２２１）は、互いに嵌合する上方及び下方軸スリーブからなり、前記下方軸スリーブの上部を前記上方軸スリーブにスリーブ接続し、前記クランプリング（１２２、２２２）を前記上方軸スリーブと前記下方軸スリーブの間に配設し、前記下方軸スリーブの前記上部を上端部に配設したカバー又は別のジャイロの弾性チップの底部と嵌着することができ、前記カバーのカバー下縁部又は前記弾性チップの両側を前記下方軸スリーブの上方に配設する請求項８記載の自動離脱式合体ジャイロ玩具。
【請求項１０】
上方及び下方規制突起を前記下方軸スリーブの内壁に配設し、前記チップ本体に配設したフック（１６、２６）と前記下方軸スリーブの前記下方規制突起のフッキングにより、前記チップ本体を上下動可能に前記下方軸スリーブに確実に接続でき、また、前記チップ本体に配設した前記スプリング（１４、２４）の上端部を前記上方規制突起に配設し、前記２つのジャイロ（１、２）を上下に接続する時、前記上方ジャイロ（１）の前記弾性チップ（１１）の底部を前記下方ジャイロ（２）の前記下方軸スリーブの前記上部にスリーブ接続し、前記下方軸スリーブの前記上部に力を加えて前記上方弾性チップ（１１）を圧縮する請求項９記載の自動離脱式合体ジャイロ玩具。
【請求項１１】
前記下方軸スリーブの上方キャビティ壁は、前記カバーの下方側壁に配設した突起部と嵌着する回転クランプ機構を備えてもよく、前記回転クランプ機構を前記下方軸スリーブの前記上方キャビティ壁に配設したフランジにより形成する請求項１０記載の自動離脱式合体ジャイロ玩具。
【請求項１２】
前記ジャイロリング（１３、２３）は、真ん中に貫通孔を有する円形の攻撃リング（１３１、２３１）と、前記攻撃リング（１３１、２３１）に嵌合配置したスクリューリング（１３２、２３２）とクランプリング（１３３、２３３）とからなり、前記ロック機構を前記スクリューリング（１３２、２３２）に配設し、前記回転クランプ機構を前記上方及び下方ジャイロの前記クランプリング（１３３、２３３）の互いに対向する面にそれぞれ配設した上縁部（１３４）及び下縁部（２３４）とし、前記上方クランプリング（１３３）を前記下方クランプリング（２３３）に重ね、前記下縁部（２３４）が前記上縁部（１３４）と係合するように前記上縁部（１３４）を前記下縁部（２３４）の下部方向に回転させることによって、前記上方ジャイロ（１）と前記下方ジャイロ（２）の一体接続を回転離脱可能に実現する請求項８記載の自動離脱式合体ジャイロ玩具。
【請求項１３】
前記スクリューリング（１３２、２３２）は、前記攻撃リング（１３１、２３１）の前記貫通孔と嵌合するように配設した上方カバーリング及び下方カバーリングからなり、前記ロック機構の前記突起部（１５、２５）を前記上方及び下方カバーリングの内壁に対応して配設した上方及び下方フランジを重ねて形成し、前記ジャイロの前記軸体（１２、２２）を前記上方及び下方カバーリングのリング孔にスリーブ接続する時、前記上方及び下方カバーリングの上方及び下方フランジを前記ジャイロの前記軸体（１２、２２）の前記ブロック機構の上端部及び下端部に嵌着させることによって、前記ジャイロの前記軸体（１２、２２）との確実な接続を実現する請求項１２記載の自動離脱式合体ジャイロ玩具。
【請求項１４】
縁部を前記攻撃リング（１３１、２３１）の前記貫通孔の内壁に一体的に配設し、これに対応して前記上方及び下方カバーリングの前記縁部に対応する位置に切欠部を配設し、前記上方及び下方カバーリングを前記切欠部と前記縁部の嵌合によって前記攻撃リング（１３１、２３１）に確実に配置する請求項１３記載の自動離脱式合体ジャイロ玩具。
【請求項１５】
前記軸体（１２、２２）に前記ジャイロリング（１３、２３）を装着する方向を上下反転させることができる請求項３、１２、１３又は１４の何れか記載の自動離脱式合体ジャイロ玩具。
【発明の詳細な説明】
【技術分野】
【０００１】
本発明は、玩具の分野に係り、特に自動離脱式合体ジャイロ玩具に関する。
【背景技術】
【０００２】
従来のジャイロ玩具は、基本的に軸体、カバー、ブレード、及びチップからなる単一のジャイロにより形成される。ジャイロ放出器とカバーを接続し、ジャイロを放出して回転させる。対戦において自分のジャイロが相手側に勝てるようにジャイロの性能を向上または変化させるために、従来のジャイロ玩具のほとんどは、例えば軸体を追加的に伸ばせるように設計したり、ジャイロを取り外してアクセサリの交換又は追加ができるように組立及び強化可能に設計されている。しかし、いくら改善及び強化しても、ジャイロ玩具はプレーにおいて１つのジャイロとして回転対決を行うのみで、勝率を大幅に向上させることはほとんどできない。さらに、ジャイロ玩具の離脱式アセンブリが非常に人気になってきているため、そのようなジャイロは次第に目新しさを失い、長い間にわたってプレーヤーに気に入られることはほとんどない。離脱式の合体ジャイロ玩具が発明されているが、次の欠点を有している。まず、主要ジャイロをその下に配設する補助ジャイロによって放出するため、スプリングに大きな弾性を持たせる必要があり、寿命が短くなるだけでなく、上方ジャイロの下方チップが放出後損傷し易く、補助ジャイロの回転安定性が弾性の大きさに影響を受ける。次に、補助ジャイロは不完全な構造を有しており、プレーするためのジャイロとして単独で放出することができず、主要ジャイロに取り付けてしか使用できない。第三に、ジャイロについては、軸体を主にカバーを使用してジャイロリングにロックしているため、カバーを取り外すと、ジャイロリングは軸体から分離し、従来の合体ジャイロで使用することは困難で、組み立てが不便で、大衆消費者の要求を満たすことができない。
【発明の概要】
【発明が解決しようとする課題】
【０００３】
本発明の目的は、上記の問題及び欠点に関連し、プレー中に自動的に２つ以上に分離可能で、対戦の勝率及びプレーの面白さを効果的に向上させ、安定した構造と長い寿命を有し、回転が安定した自動離脱式合体ジャイロ玩具を提供することである。
【０００４】
さらに、本発明の別の目的は、同一の構造を有し、プレーするために結合及び単独で放出することができ、組み立てが簡便な上方及び下方ジャイロからなる自動離脱式合体ジャイロ玩具を提供することである。
【０００５】
さらに、本発明のさらに別の目的は、カバーを取り外した後も、ジャイロ本体と軸体が安定的に結合し、複数のジャイロを結合する際、より簡便でより素早く組み立てられる自動離脱式合体ジャイロ玩具を提供することである。
【課題を解決するための手段】
【０００６】
本発明の技術的解決法を以下のように実現する。
【０００７】
本発明の自動離脱式合体ジャイロ玩具の特徴は、ジャイロを少なくとも２つのジャイロを上下に接続して形成し、ジャイロの先端部をすべて弾性チップにすることにより、ジャイロが回転中に衝撃を受けたり、回転がブロックされたりした時に、上方ジャイロが下方ジャイロとの接続を自動的に解除し、弾性チップの作用により上方ジャイロを放出して独立に回転する２つのジャイロを形成することである。
【０００８】
本発明は、概して２つのジャイロを接続して形成される。当然、複数のジャイロを要求に応じて連続して重ねることができるが、好ましい解は２つである。
【０００９】
本発明のジャイロをプレーするために単独で放出できるように、また、２つ以上のジャイロを重ねて結合し易くするために、概して同一構造のジャイロを選択する。各ジャイロの軸体の上端部は取り外し可能なカバーを備え、各カバーは放出器と係合する接続機構を備え、カバーと放出器の接続機構と連携して、プレーするために放出器により各ジャイロを単独で放出することができる。このように、消費者がジャイロを１つしか購入しなくても有用であり、合体したジャイロ一式を購入する必要がない。同様に、もう１つ購入し、そのカバーを取り外して２つのジャイロを自由に組み合わせることにより、合体ジャイロは衝撃を受けると分離する機能を有する。このため、より面白く、対戦プレー時の攻撃力が増し、勝率が高くなって選択肢が豊富になる。
【００１０】
各ジャイロは、軸体と、軸体にスリーブ接続するジャイロリングとを備える。弾性チップを軸体の下に接続し、上方ジャイロを下方ジャイロに接続する時、上方ジャイロの弾性チップは圧縮状態になる。接続後に衝撃を受けてブロックされる時、２つのジャイロがより分離し易くなるように、上方ジャイロ及び下方ジャイロを回転可能に分離できるように一体的に接続する。さらに、２つのジャイロの接続方法には様々なものがあり、例えば、上方ジャイロと下方ジャイロを２つのジャイロリングに配設した回転クランプ機構により接続する、或いは上方ジャイロと下方ジャイロを２つの軸体の嵌合及び締付により接続する。
【００１１】
ユーザが相手側のジャイロの特徴に応じて異なる攻撃方法を選択できるように、本発明は、使用時に異なる方向に組み立てることによって、形状構造が異なるジャイロ又は重心高さが異なるジャイロ（ジャイロは、重心が低い場合には耐久性が強く、重心が高い場合には最高の攻撃を実行することができる）を形成できるようにするために、軸体にジャイロリングを装着する方向を上下反転させることができる。
【００１２】
本発明のより簡単な構造を実現するために、弾性チップを、軸体の下端部に接続し、内部キャビティにスプリングシートを備えたチップ本体と、チップ本体の内部キャビティのスプリングシートに配設したスプリングとにより形成する。スプリングの上端部は軸体を押圧し、上方ジャイロを下方ジャイロに接続する時、弾性チップのスプリングは圧縮され、上方チップ本体と共に軸体内に格納される。
【００１３】
下方ジャイロのカバーを取り外した後も、ジャイロ本体と軸体の結合を確実に安定的なものとするために、軸体の外壁と嵌合するように配設可能なロック機構をジャイロリングに配設することができる。ロック機構は、より簡単な構造及びより簡便な操作を実現するために、概してジャイロリングの内壁に配設する突起部である。軸体は、軸スリーブと、軸スリーブに回転可能に配設するクランプリングとを備え、クランプリングは軸スリーブから延出するピンを備える。軸スリーブの外壁は、これに対応してピンが進入して水平回転可能なガイドスロットと、ジャイロリングの突起部が摺動するブロック機構とを備え、ピンの押し込みによりジャイロリングと軸スリーブの確実な接続が実現される。弾性チップを上下動可能に軸スリーブの下部に接続する。
【００１４】
本発明では、ジャイロを少なくとも２つのジャイロを接続及び結合して形成するように設計し、各ジャイロの先端部は、弾性チップ構造を採る。そのため、プレーの際、上方ジャイロを下方ジャイロの上部に可動に接続し、弾性チップを押圧する。したがって、ジャイロのうちの上方ジャイロが回転中に衝撃を受けるか、或いはその回転がブロックされると、上方ジャイロは下方ジャイロとの接続を自動的に解除し、自身の弾性チップの作用で放出され、独立に回転する２つのジャイロとなり、これによって、ジャイロを対戦中に２つ又は３つのジャイロに分割することができ、ジャイロの攻撃力が非常に高まり、勝率が高まる。また、非常に面白く、より多くのプレーヤーの人気を得ることができる新しいプレー方法を提供する。さらに、ジャイロの先端部は弾性チップであるため、プレー中に分離する際、上方ジャイロは概してその先端部の弾性によって分離し、下方ジャイロにほとんど衝撃を与えない。また、上方ジャイロは、地面に落ちる時、先端部を効果的に保護し、回転の安定性を維持するように、弾性による緩衝効果によってソフトランディングできる。一方、下方ジャイロの弾性チップもまた、衝撃の影響及び重過ぎるジャイロが先端部を損傷するのを防ぎ、ジャイロの安定性を向上させるために、ジャイロに緩衝効果を与える。したがって、構造の信頼性が高く、回転が安定し、寿命が長く、そして、プレー時の回転対戦に１つのジャイロしか使用されないため、勝率が低く、面白みに欠け、また、分離後のジャイロの回転が不安定で寿命が短いなどという従来のジャイロ玩具の問題を効果的に解決する。また、本発明は、ジャイロのカバーを取り外した後も、ジャイロ本体を軸体と確実に結合することができ、また組み立てがいっそう簡便で素早くなるように、ジャイロリングに配設して軸体の外壁に嵌着可能なロック機構を採用する。本発明はさらに、軸体にジャイロリングを装着する方向を上下反転させることができる構造を採用し、ユーザが相手側のジャイロの特徴に応じて攻撃するために異なる組み立て方法を選択できるように、異なる方向に組み立てることにより異なる重心高さを有するジャイロを形成することにより、プレーの面白さがさらに増大する。本発明では、２つ以上のジャイロをうまく一体的に結合し、衝突及び衝撃により分離を実現する。そのため、ゲームが非常に面白く、プレーヤーは対戦においてより高い勝率を得ることができる。一方、子供の操作力及び競争力を訓練することができ、ジャイロは信頼性の高い構造、安定した回転性能を有し、寿命が長いため、広大な市場可能性を有している。
【００１５】
次の添付図面を介して本発明をさらに詳しく説明する。
【図面の簡単な説明】
【００１６】
【図１】本発明による上方ジャイロの取り付け態様を示す概略構造図である。
【図２】本発明による下方ジャイロの取り付け態様を示す概略構造図である（２つのジャイロが同一の構造を有する場合、本図は図１に示す上方ジャイロの別の取り付け態様を示す概略構造図でもある）。
【図３】図２のカバー取り外し後の図２及び図１の取り付けを示す概略図である。
【図４】本発明の３次元概略構造図である。
【図５】図４の概略断面構造図である。
【図６】図４の組み立てを示す概略構造図である。
【図７】図３の軸体の組み立てを示す概略構造図である。
【発明を実施するための形態】
【００１７】
図１〜図７に示すように、本発明の自動離脱式合体ジャイロ玩具は、少なくとも２つのジャイロ１、２を上下に接続して形成され、ジャイロ１、２の先端部はいずれも弾性チップ１１、２１である。そのため、ジャイロ１、２のうちの上方ジャイロ１は、回転中に衝撃を受ける（例えば、下方ジャイロ２が衝撃を受ける、或いは上方ジャイロ１が衝撃を受ける）か、或いは回転がブロックされると、ジャイロ１、２のうちの上方ジャイロ１は下方ジャイロ２との接続を自動的に解除し、上方ジャイロは、弾性チップ１１の作用で放出され、独立に回転する２つのジャイロが形成される。本発明をプレーする際、上方ジャイロ１は、下方ジャイロ２の上部に可動に接続され、弾性チップ１１は押圧されている。そのため、回転中にジャイロのうちの上方ジャイロ１が衝撃を受けるか、或いはその回転がブロックされると、上方ジャイロは下方ジャイロ２との接続を自動的に解除し、自身の弾性チップ１１の作用で放出され、独立に回転する２つのジャイロが形成されることにより、ジャイロが対戦中に２つ又は３つのジャイロに分離し、ジャイロの攻撃力が非常に高まり、勝率が高まる。また、非常に面白く、より多くのプレーヤーの人気を得ることができる新しいプレー方法を提供する。さらに、ジャイロ１、２の先端部は弾性チップであるため、プレー中に分離する際、上方ジャイロ１は概してチップ１１の弾性によって分離し、下方ジャイロ２にほとんど衝撃を与えない。また、上方ジャイロは、地面に落ちる時チップを効果的に保護し、回転の安定性を維持するように、弾性による緩衝効果によってソフトランディングできる。一方、下方ジャイロ２の弾性チップ２１もまた、衝撃の影響及び重過ぎるジャイロがチップに損傷を与えるのを防ぎ、ジャイロの安定性を向上させるために、ジャイロに緩衝効果を与える。したがって、構造の信頼性が高く、回転が安定し、寿命が長く、そして、プレー時の回転対戦に１つのジャイロしか使用されないため、勝率が低く、面白みに欠け、また、分離後のジャイロの回転が不安定で寿命が短いなどという従来のジャイロ玩具の問題を効果的に解決する。本発明は、概して２つのジャイロを接続して形成される。当然、複数のジャイロを要求に応じて連続して重ねることができる。好ましい解は２つである。ジャイロ１、２は、異なる構造を有するジャイロを選択してもよいが、本発明のジャイロはプレーする際に単独で放出できるように、また２つ以上のジャイロを重ねて結合し易いように、ジャイロ１、２は概して同一の構造を有するジャイロを選択する。各ジャイロ１、２は、軸体１２、２２と、軸体１２、２２にスリーブ接続するジャイロリング１３、２３とを備える。弾性チップ１１、２１が軸体１２、２２の下に接続され、上方ジャイロ１の弾性チップ１１は、上方及び下方ジャイロ１、２の接続を実現するために下方ジャイロ２の軸体２２に挿入されている時は圧縮状態である。本発明のより簡単な構造を実現するために、弾性チップ１１、２１は、軸体１２、２２の下端部に接続され、内部キャビティにスプリングシートを備えたチップ本体と、チップ本体の内部キャビティのスプリングシートに配設されるスプリング１４、２４とにより形成される。スプリング１４、２４の上端部は軸体１２、２２を押圧し、上方ジャイロ１が下方ジャイロ２に接続される時、弾性チップ１１のスプリング１４は圧縮され、上方チップ本体と共に軸体１２に格納される。接続された２つのジャイロ１、２が衝撃を受けて妨害された時に、より簡便な分離を実現するために、上方ジャイロ１及び下方ジャイロ２を、回転しながら分離できるように一体的に接続する。さらに、２つのジャイロの接続には様々な方法があり、例えば、上方及び下方ジャイロ１、２を、２つの軸体１２、２２の回転締め付けにより互いに接続する。好ましくは、上方及び下方ジャイロ１、２を、２つのジャイロリング１３、２３に配設した回転クランプ機構により互いに接続する。より多くの選択肢を消費者に提供するために、本発明はまた、ジャイロが同一の構造を有し、ジャイロ１、２の軸体１２、２２の上端部は取り外し可能なカバーを備え、このカバーは放出器に接続する接続機構をそれぞれ備えた構成とする。各ジャイロ１、２は、プレーのためにカバーと放出器の接続機構と連携して放出器により放出されてもよい。下方ジャイロ２を、カバーを取り外した後上方ジャイロ１に接続する。下方ジャイロ２の軸体２２に配設したカバー取り付け位置は、上方ジャイロ１の先端部を装着する凹状キャビティを備える。このように、消費者がジャイロを１つしか購入しなくても、単独でのプレーに有用であり、合体したジャイロ一式を購入する必要がない。同様に、もう１つ購入して結合することにより、衝撃時の分離機能が実現される。このため、より面白く、選択肢が豊富になる。下方ジャイロ２のカバーを取り外した後も、ジャイロリングを確実に軸体に結合できるように、また、組み立てがより簡便となるように、ジャイロリング１３、２３は、軸体１２、２２の外壁に嵌合配置されるロック機構を備える。ロック機構は、信頼性の高い構造を確保しながら簡便に取り外しできるように、ジャイロリング１３、２３の内壁に配設した突起部１５、２５である。軸体１２、２２は、軸スリーブ１２１、２２１と、軸スリーブに回転可能に配設したクランプリング１２２、２２２とを備え、クランプリング１２２、２２２は、軸スリーブ１２１、２２１から延出するピン１２３、２２３を備える。軸スリーブ１２１、２２１の外壁は、これに対応してピン１２３、２２３が進入して水平回転可能なガイドスロット１２４、２２４と、ジャイロリングの突起部１５、２５が摺動するブロック機構１２５、２２５とを備え、ピン１２３、２２３の押し込みによりジャイロリング１３、２３と軸スリーブ１２１、２２１の確実な接続が実現される。弾性チップ１１、２１を上下動可能に軸スリーブ１２１、２２１の下部に接続する。ジャイロリング１３、２３の突起部１５、２５がブロック機構１２５、２２５内に摺動する時、ピン１２３、２２３が突起部１５、２５の上方又は下方で回転するようにクランプリング１２２、２２２を回転させることができる。したがって、突起部１５、２５をピン１２３、２２３とブロック機構１２５、２２５の１つの端縁部の間に確実にロックすることによって、ジャイロリング１３、２３と軸体１２、２２の確実な接続を実現する。より簡便な加工及び取り付けのために、軸スリーブ１２１、２２１は、嵌合する上方及び下方軸スリーブからなり、下方軸スリーブの上部を上方軸スリーブにスリーブ接続し、クランプリング１２２、２２２を上方軸スリーブと下方軸スリーブの間に配設し、下方軸スリーブの上部を上端部に配設したカバー又は別のジャイロの弾性チップの底部と嵌着できる。また、カバーのカバー下縁部又は弾性チップの両側を下方軸スリーブの上方に配設する。上方及び下方規制突起を下方軸スリーブの内壁に配設し、チップ本体に配設したフック１６、２６と下方軸スリーブの下方規制突起のフッキングにより、チップ本体を上下動可能に下方軸スリーブに確実に接続でき、また、チップ本体に配設したスプリング１４、２４の上端部を上方規制突起に配設する。２つのジャイロ１、２を上下に接続する時、上方ジャイロ１の弾性チップ１１の底部を下方ジャイロ２の下方軸スリーブの上部にスリーブ接続し、下方軸スリーブの上部に力を加えて上方弾性チップ１１を圧縮する。各軸スリーブを対応するカバーと確実に結合できるように、下方軸スリーブの上方キャビティ壁はカバーの下方側壁に配設した突起部と嵌着する回転クランプ機構を備えてもよく、また、回転クランプ機構を下方軸スリーブの上方キャビティ壁に配設したフランジで形成する。攻撃リングの材料工程及び加工工程を効果的に減らし、ジャイロにより大きな開発の余地を残し、また、より大きな回転慣性を得るために、ジャイロリング１３、２３は、真ん中に貫通孔を有する円形の攻撃リング１３１、２３１と、攻撃リング１３１、２３１に嵌合配置したスクリューリング１３２、２３２及びクランプリング１３３、２３３とからなり、ロック機構をスクリューリング１３２、２３２に配設し、回転クランプ機構を上方及び下方ジャイロのクランプリング１３３、２３３の互いに対向する面にそれぞれ配設した上縁部１３４及び下縁部２３４とする。上方クランプリング１３３を下方クランプリング２３３に重ね、下縁部２３４が上縁部１３４と係合するように上縁部１３４を下縁部２３４の下部方向に回転させることによって、上方ジャイロ１と下方ジャイロ２の一体接続を回転離脱可能に実現する。構造の信頼性をさらに高めるために、スクリューリング１３２、２３２は、攻撃リング１３１、２３１の貫通孔と嵌合するように配設された上方カバーリング及び下方カバーリングを備え、ロック機構の突起部１５、２５を上方及び下方カバーリングの内壁に対応して配設した上方及び下方フランジを重ねて形成する。ジャイロの軸体１２、２２を上方及び下方カバーリングのリング孔にスリーブ接続する時、上方及び下方カバーリングの上方及び下方フランジをジャイロの軸体１２、２２のブロック機構の上端部及び下端部に嵌着させることによって、ジャイロの軸体１２、２２との確実な接続を実現する。攻撃リング１３１、２３１と対応するスクリューリングとのより確実な接続を実現可能にするために、縁部を攻撃リング１３１、２３１の貫通孔の内壁に一体的に配設し、これに対応して上方及び下方カバーリングの縁部に対応する位置に切欠部を配設し、上方及び下方カバーリングを切欠部と縁部の嵌合によって攻撃リング１３１、２３１に確実に配置する。ユーザが相手側のジャイロの特徴に応じて異なる攻撃方法を選択できるように、本発明は、使用時に異なる方向に組み立てることによって、形状構造が異なるジャイロ又は重心高さが異なるジャイロ（ジャイロは、重心が低い場合には耐久性が強く、重心が高い場合には最高の攻撃を実行することができる）を形成できるようにするために、軸体１２、２２にジャイロリング１３、２３を装着する方向を上下反転させることができる。すなわち、ジャイロリングを図１に示すように上面（表側）を上に向けて軸体に装着することができ、また、ジャイロリングを反転させて軸体に装着することができる、つまり、図２に示す概略構造図となるように、ジャイロリングを下面（裏面）を上に向けて軸体に装着する（２つのジャイロが同一の構造組成を有する場合、図２に示す下方ジャイロは、ジャイロリングの反転後は図１のジャイロとは組立方法が別であり、参照番号のみが異なる。したがって、図面を追加しない）。ジャイロが同一の構造を採る場合、本発明の好ましい解決策は、構造がよりコンパクトに、戦闘能力がより高まり、外観がより良くなるように、下方ジャイロのジャイロリングを反転させて２つのジャイロを接続することである。当然、反転させることなく２つのジャイロを接続することもでき、そのような合体ジャイロはコンパクト度の低い構造を有する。本発明はスマートに設計され、２つ以上のジャイロをうまく一体的に結合し、衝突及び衝撃により分離を実現する。そのため、ゲームが非常に面白く、プレーヤーは対戦においてより高い勝率を得ることができ、一方、子供の操作力及び競争力を訓練することができる。
【００１８】
本発明を特定の実施形態を参照して説明したが、これらの説明は本発明を限定することを意図していない。本発明の説明を参照すれば、開示した実施形態の他の変形が当業者には予測可能であり、そのような変形は特許請求の範囲に規定した範囲に含まれる。
【図１】
2016530974.tif 000003
【図２】
2016530974.tif 000004
【図３】
2016530974.tif 000005
【図４】
2016530974.tif 000006
【図５】
2016530974.tif 000007
【図６】
2016530974.tif 000008
【図７】
2016530974.tif 000009
【国際調査報告】
2016530974.tif 000010
2016530974.tif 000011
2016530974.tif 000012
2016530974.tif 000013